(57)【特許請求の範囲】
【請求項１】
コンテンツを録画するためのコンテンツ記憶装置を内蔵したＡＶ機器において、
インターネットと接続するための通信手段、
インターネット上のＷｅｂページを検索するための検索エンジン、
録画されるコンテンツ毎に、当該コンテンツに対応する番組情報に含まれている所定の種類の単語を当該コンテンツの付属情報として記憶させる付属情報記憶手段、
録画中において、コンテンツ記憶装置の残り容量が規定値以下になったときに、録画済のコンテンツ毎に、検索エンジンを用いて、そのコンテンツの付属情報をキーワードとして含むＷｅｂページの数を検索する検索手段、および
録画済のコンテンツ毎に求められたＷｅｂページの検索数に基づいて、録画済のコンテンツのうち関心度が最も低いコンテンツを特定し、特定したコンテンツをコンテンツ記憶装置から自動的に削除するコンテンツ削除手段、
を備えていることを特徴とするＡＶ機器。
【請求項２】
コンテンツの付属情報がタイトル名であることを特徴とする請求項１に記載のＡＶ機器。
【請求項３】
コンテンツ削除手段は、Ｗｅｂページの検索数が最も少ないコンテンツを関心度が最も低いコンテンツとして特定することを特徴とする請求項１乃至２に記載のＡＶ機器。
【請求項４】
コンテンツを録画するためのコンテンツ記憶装置を内蔵したＡＶ機器と、インターネットに接続された検索サーバとを備えたコンテンツ自動削除システムにおいて、
検索サーバは、
インターネット上のＷｅｂページを検索するための検索エンジン、少なくとも現在から過去一定期間分の放送番組の番組情報から得られた複数の番組評価用キーワード毎に、Ｗｅｂページ検索数を記憶する番組評価用テーブル、および番組評価用テーブルを一定期間毎に更新させる更新手段を備え、更新手段は、番組情報を取得し、取得した番組情報から番組評価用キーワードを取得して番組評価用テーブルに記憶させる手段、および番組評価用テーブル内の各番組評価用キーワード毎に、検索エンジンを用いて、その番組評価用キーワードを含むＷｅｂページの数を検索し、得られたＷｅｂページの検索数をその番組評価用キーワードに対するＷｅｂページ検索数として番組評価用テーブルに記憶させる検索手段を備えており、
ＡＶ機器は、
検索サーバと通信するための通信手段、録画されるコンテンツ毎に、当該コンテンツに対応する番組情報に含まれている番組評価用キーワードを当該コンテンツの付属情報として記憶させる付属情報記憶手段、録画中において、コンテンツ記憶装置の残り容量が規定値以下になったときに、録画済のコンテンツ毎に、そのコンテンツの付属情報をキーワードとして含むＷｅｂページの数を、検索サーバから取得する手段、および録画済のコンテンツ毎に求められたＷｅｂページの検索数に基づいて、録画済のコンテンツのうち関心度が最も低いコンテンツを特定し、特定したコンテンツをコンテンツ記憶装置から自動的に削除するコンテンツ削除手段を備えていることを特徴とするコンテンツ自動削除システム。
【請求項５】
番組評価用キーワードがタイトル名であることを特徴とする請求項４に記載のコンテンツ自動削除システム。
【請求項６】
コンテンツ削除手段は、Ｗｅｂページの検索数が最も少ないコンテンツを関心度が最も低いコンテンツとして特定することを特徴とする請求項４乃至５に記載のコンテンツ自動削除システム。
【発明の詳細な説明】
【技術分野】
【０００１】
この発明は、コンテンツを録画するための記憶装置を内蔵したＨＤＤ内蔵デジタルテレビ、ＤＶＤレコーダ等のＡＶ機器およびコンテンツ自動削除システムに関する。
【背景技術】
【０００２】
近年、大容量のＨＤＤを備えたデジタルテレビ放送受信機が開発されている。この種のデジタルテレビ放送受信機では、大量のコンテンツを録画することが可能である。一方、コンテンツを録画している場合に、ＨＤＤの記憶残量が少なくなった場合には、ＨＤＤ内に既に格納されているコンテンツの中から不要と考えられるものを自動削除することが好ましい。
【０００３】
しかしながら、ＨＤＤ内に既に格納されているコンテンツのうちいずれのコンテンツが不要であるかを、自動的に判定することは困難である。
【発明の開示】
【発明が解決しようとする課題】
【０００４】
この発明は、記憶装置内のコンテンツを自動削除する際に、関心度が低いと思われるコンテンツを自動的に削除できるようになるＡＶ機器およびコンテンツ自動削除システムを提供することを目的とする。
【課題を解決するための手段】
【０００５】
請求項１に記載の発明は、コンテンツを録画するためのコンテンツ記憶装置を内蔵したＡＶ機器において、インターネットと接続するための通信手段、インターネット上のＷｅｂページを検索するための検索エンジン、録画されるコンテンツ毎に、当該コンテンツに対応する番組情報に含まれている所定の種類の単語を当該コンテンツの付属情報として記憶させる付属情報記憶手段、録画中において、コンテンツ記憶装置の残り容量が規定値以下になったときに、録画済のコンテンツ毎に、検索エンジンを用いて、そのコンテンツの付属情報をキーワードとして含むＷｅｂページの数を検索する検索手段、および録画済のコンテンツ毎に求められたＷｅｂページの検索数に基づいて、録画済のコンテンツのうち関心度が最も低いコンテンツを特定し、特定したコンテンツをコンテンツ記憶装置から自動的に削除するコンテンツ削除手段を備えていることを特徴とする。
【０００６】
請求項２に記載の発明は、請求項１に記載の発明において、コンテンツの付属情報がタイトル名であることを特徴とする。
【０００７】
請求項３に記載の発明は、請求項１乃至２に記載の発明において、コンテンツ削除手段は、Ｗｅｂページの検索数が最も少ないコンテンツを関心度が最も低いコンテンツとして特定することを特徴とする。
【０００８】
請求項４に記載の発明は、コンテンツを録画するためのコンテンツ記憶装置を内蔵したＡＶ機器と、インターネットに接続された検索サーバとを備えたコンテンツ自動削除システムにおいて、検索サーバは、インターネット上のＷｅｂページを検索するための検索エンジン、少なくとも現在から過去一定期間分の放送番組の番組情報から得られた複数の番組評価用キーワード毎に、Ｗｅｂページ検索数を記憶する番組評価用テーブル、および番組評価用テーブルを一定期間毎に更新させる更新手段を備え、更新手段は、番組情報を取得し、取得した番組情報から番組評価用キーワードを取得して番組評価用テーブルに記憶させる手段、および番組評価用テーブル内の各番組評価用キーワード毎に、検索エンジンを用いて、その番組評価用キーワードを含むＷｅｂページの数を検索し、得られたＷｅｂページの検索数をその番組評価用キーワードに対するＷｅｂページ検索数として番組評価用テーブルに記憶させる検索手段を備えており、ＡＶ機器は、検索サーバと通信するための通信手段、録画されるコンテンツ毎に、当該コンテンツに対応する番組情報に含まれている番組評価用キーワードを当該コンテンツの付属情報として記憶させる付属情報記憶手段、録画中において、コンテンツ記憶装置の残り容量が規定値以下になったときに、録画済のコンテンツ毎に、そのコンテンツの付属情報をキーワードとして含むＷｅｂページの数を、検索サーバから取得する手段、および録画済のコンテンツ毎に求められたＷｅｂページの検索数に基づいて、録画済のコンテンツのうち関心度が最も低いコンテンツを特定し、特定したコンテンツをコンテンツ記憶装置から自動的に削除するコンテンツ削除手段を備えていることを特徴とする。
【０００９】
請求項５に記載の発明は、請求項４に記載の発明において、番組評価用キーワードがタイトル名であることを特徴とする。
【００１０】
請求項６に記載の発明は、請求項４乃至５に記載の発明において、コンテンツ削除手段は、Ｗｅｂページの検索数が最も少ないコンテンツを関心度が最も低いコンテンツとして特定することを特徴とする。
【発明の効果】
【００１１】
この発明によれば、記憶装置内のコンテンツを自動削除する際に、関心度が低いと思われるコンテンツを自動的に削除できるようになる。
【発明を実施するための最良の形態】
【００１２】
以下、図面を参照して、この発明の実施例について説明する。
【実施例１】
【００１３】
図１は、システム構成を示している。
【００１４】
１は、デジタルテレビ放送受信機能および録画機能を備えたＡＶ機器である。ＡＶ機器１は、インターネット上のＷｅｂサーバ２、３、…に接続されている。
【００１５】
図２は、ＡＶ機器１の電気的構成を示している。
【００１６】
ＡＶ機器１は、マイコン１１によって制御される。マイコン１１には、制御プログラムや書き換え不要な固定データ等を記憶するＲＯＭ１２、必要なデータを一時記憶する揮発性メモリとしてのＲＡＭ１３および書き換え可能なデータを記憶する不揮発性メモリとしてのＮＲＡＭ１４が接続されている。
【００１７】
また、マイコン１１には、デジタルテレビ放送を受信するためのデジタルチューナ１５、受信したテレビ番組を表示するためのモニタ１６、受信したテレビ番組の録画データ（コンテンツ）等を格納するために用いられるＨＤＤ１７およびマイコン１１をインターネットに接続するためのＬＡＮコントローラ１８が接続されている。
【００１８】
実施例１においては、ＡＶ機器１のマイコン１１は、インターネット上のＷｅｂページを検索するための検索エンジン機能を備えている。つまり、ＲＯＭ１２には、検索エンジン（プログラム）が格納されている。この実施例では、検索エンジンとしては、ロボット型検索エンジンが用いられている。
【００１９】
ロボット型検索エンジンにおいては、検索ロボットと呼ばれるソフトウェアによって自動的にＷｅｂページを収集し、そこからキーワードを抽出する。つまり、検索ロボットが自動的にＷｅｂページの情報を収集して整理する。そして、検索のためのキーワードが与えられると、収集・整理した情報に基づいて、そのキーワードが含まれているＷｅｂページを検索する。
【００２０】
この実施例では、検索のためのキーワードが与えられると、収集・整理した情報に基づいて、そのキーワードが含まれているＷｅｂページを検索し、そのキーワードが含まれているＷｅｂページの数を取得する。
【００２１】
なお、ＨＤＤ１７には、図３に示すように、録画番組情報テーブルが作成される。録画番組情報テーブルには、録画番組毎に、当該録画番組のＩＤ、タイトル名、放送日、放送開始時刻、放送終了時刻、自動削除禁止の有無、録画データの格納場所に関する情報およびヒット件数が記憶される。
【００２２】
番組録画開始時には、録画番組情報テーブルに、当該録画番組のＩＤ、タイトル名、放送日、放送開始時刻、放送終了時刻、自動削除禁止の有無および録画データの格納場所に関する情報のうちの格納開始アドレスが格納される。自動削除禁止の有無とは、録画自動削除を禁止するかしないかを表す情報であり、ユーザによって録画番組毎に指定される情報である。つまり、ユーザは、録画しようとする番組毎に、自動削除の対象となることを許可するか禁止するかを指定することができるようになっている。
【００２３】
録画番組情報テーブル内のヒット件数とは、この例では、そのタイトル名をキーワードとして含むＷｅｂページの数であり、後述するコンテンツ自動削除処理時において登録および更新される。この実施例では、ヒット件数が多いほど、その番組に対する関心度が高いと想定している。なお、録画番組情報テーブル内の各録画番組情報は、対応する録画データ（コンテンツデータ）が削除された場合には、削除される。
【００２４】
図４は、録画中にＡＶ機器１のマイコン１１によって行なわれる録画データ自動削除処理の手順を示している。
【００２５】
録画中においては、ＨＤＤ１７の残り容量が規定値以下になったか否かが監視される（ステップＳ１）。録画中において、ＨＤＤ１７の残り容量が規定値以下になった場合には、録画番組情報テーブル内の録画番組情報から、自動削除が禁止されていない１つの録画番組情報を選択し、そのタイトル名を取得する（ステップＳ２）。
【００２６】
そして、検索エンジンにより、取得したタイトル名をキーワードとして含むＷｅｂページを検索する（ステップＳ３）。そして、検索されたＷｅｂページの総数を当該録画番組情報のヒット件数として登録する（ステップＳ４）。録画番組情報テーブル内の自動削除が禁止されていない録画番組情報の全てについてキーワード検索（上記ステップＳ３、Ｓ４の処理）が行なわれたか否かを判別する（ステップＳ５）。
【００２７】
録画番組情報テーブル内の自動削除が禁止されていない録画番組情報の全てについてキーワード検索が行なわれていない場合には、ステップＳ２に戻り、録画番組情報テーブル内の自動削除が禁止されていない録画番組情報であって、キーワード検索が行なわれてない１つの録画番組情報を１つ選択し、そのタイトル名を取得する。そして、ステップＳ３〜Ｓ５の処理を行なう。
【００２８】
このようにして、録画番組情報テーブル内の自動削除が禁止されていない録画番組情報の全てに対して、キーワード検索が行なわれた場合には（ステップＳ５でＹＥＳ）、キーワード検索が行なわれた録画番組情報のうち、ヒット件数が最も少ないものを特定する（ステップＳ６）。ヒット件数が最も少ないものが１つである場合には（ステップＳ７でＮＯ）、上記ステップＳ６で特定されたヒット件数が最も少ない録画番組情報をＨＤＤ１７内の録画番組情報テーブルから削除するとともに、その録画番組情報に対応する録画データ（コンテンツデータ）をＨＤＤ１７から削除する（ステップＳ８）。そして、ステップＳ１に戻る。
【００２９】
上記ステップＳ７において、ヒット件数が最も少ないものが２以上ある場合には（ステップＳ７でＹＥＳ）、それら複数の録画番組情報のうち録画時刻（放送開始時刻）が最も古い録画番組情報をＨＤＤ１７内の録画番組情報テーブルから削除するとともに、その録画番組情報に対応する録画データ（コンテンツデータ）をＨＤＤ１７から削除する（ステップＳ９）。そして、ステップＳ１に戻る。
【００３０】
なお、上記実施例では、録画番組のタイトル名をキーワードとして、キーワードが含まれるＷｅｂページを検索し、検索されたＷｅｂページの総数をヒット件数としているが、番組情報として取得可能な録画番組のタイトル名、出演者、原作者、脚本家、監督、演出家のうち、２種類以上をキーワードとして用い、各キーワード毎にそのキーワードが含まれるＷｅｂページを検索し、各キーワード毎に検索されたＷｅｂページの数の総和をヒット件数としてもよい。この場合には、録画番組情報にキーワードとして用いられる全ての単語を登録しておく必要がある。
【実施例２】
【００３１】
図５は、システム構成を示している。
【００３２】
１は、デジタルテレビ放送受信機能および録画機能を備えたＡＶ機器である。ＡＶ機器１は、インターネット上の検索サーバ４に接続されている。検索サーバ４は、インターネット上のＷｅｂサーバ５、６、…に接続されている。
【００３３】
図６は、ＡＶ機器１の電気的構成を示している。
【００３４】
ＡＶ機器１は、マイコン１１によって制御される。マイコン１１には、制御プログラムや書き換え不要な固定データ等を記憶するＲＯＭ１２、必要なデータを一時記憶する揮発性メモリとしてのＲＡＭ１３および書き換え可能なデータを記憶する不揮発性メモリとしてのＮＲＡＭ１４が接続されている。
【００３５】
また、マイコン１１には、デジタルテレビ放送を受信するためのデジタルチューナ１５、受信したテレビ番組を表示するためのモニタ１６、受信したテレビ番組を録画するためのＨＤＤ１７およびマイコン１１をインターネットに接続するためのＬＡＮコントローラ１８が接続されている。
【００３６】
ＨＤＤ１７には、図３に示すような録画番組情報テーブルが作成される。番組録画開始時には、マイコン１１によって、録画番組情報テーブルに、当該録画番組のＩＤ、タイトル名、放送日、放送開始時刻、放送終了時刻、自動削除禁止の有無および録画データの格納場所に関する情報のうちの格納開始アドレスが格納される。
【００３７】
この実施例２では、ＡＶ機器１は、検索エンジンを備えていない。この実施例２では、ヒット件数の取得方法が実施例１と異なっている。ヒット件数の取得方法については、後述する。
【００３８】
図７は、検索サーバ４の電気的構成を示している。
【００３９】
検索サーバ４は、マイコン４１によって制御される。マイコン４１には、そのプログラム等を記憶するＲＯＭ４２、必要なデータを記憶する揮発性メモリとしてのＲＡＭ４３および必要なデータを記憶する不揮発性メモリとしてのＮＲＡＭ４４が接続されている。また、マイコン４１には、デジタルテレビ放送を受信するためのデジタルチューナ４５、各種データを記憶するためのＨＤＤ４６、マイコン４１をインターネットに接続するためのＬＡＮコントローラ４７が接続されている。
【００４０】
検索サーバ４は、検索エンジンを備えている。ＨＤＤ４６には、図８に示すような番組評価用テーブルが格納されている。番組評価用テーブルには、タイトル名、登録日およびヒット件数が記憶される。
【００４１】
図９は、検索サーバによって行なわれる番組評価用テーブル更新処理手順を示している。
【００４２】
この番組評価用テーブル更新処理は、１日１回、予め定められた時刻に行なわれる。例えば、ＡＭ３：００に行なわれる。
【００４３】
番組評価用テーブル更新処理においては、まず、番組評価用テーブル内の各番組評価情報のうち、有効期限を超えた情報を削除する（ステップＳ１１）。この例では、登録日から１年以上経過した番組評価情報が削除される。
【００４４】
次に、受信可能なチャンネルのうち、１つのチャンネルを選局する（ステップＳ１２）。そして、選局されたチャンネルのＥＩＴからＥＰＧ情報を取得する（ステップＳ１３）。そして、取得したＥＰＧ情報から、本日のＡＭ３：００から翌日のＡＭ３：００までに選局されたチャンネルで放送される全ての番組のタイトル名を取得する（ステップＳ１４）。
【００４５】
取得したタイトル名から１つのタイトル名を選択する（ステップＳ１５）。選択したタイトル名が番組評価用テーブルに存在しているか否かを判別する（ステップＳ１６）。選択したタイトル名が番組評価用テーブルに存在していない場合には、選択したタイトル名を登録日とともに番組評価用テーブルに追加する（ステップＳ１７）。そして、ステップＳ１９に進む。
【００４６】
上記ステップＳ１６において、上記ステップＳ１５で選択したタイトル名が番組評価用テーブルに存在していると判別した場合には、番組評価用テーブルから同じタイトル名の番組評価情報を削除した後、上記ステップＳ１５で選択したタイトル名を登録日とともに番組評価用テーブルに追加する（ステップＳ１８）。そして、ステップＳ１９に進む。
【００４７】
ステップＳ１９では、ステップＳ１４で取得された全てのタイトル名について、番組評価用テーブルへの追加処理（ステップＳ１５〜Ｓ１８の処理）が行なわれたか否かを判別する。ステップＳ１４で取得された全てのタイトル名について、番組評価用テーブルへの追加処理（ステップＳ１５〜Ｓ１８の処理）が行なわれてない場合には、ステップＳ１５に戻り、ステップＳ１４で取得されたタイトル名のうち、未だ選択されていないものから１つを選択する。そして、選択されたタイトル名に対して、ステップＳ１６〜Ｓ１８の処理を行なう。
【００４８】
このようにして、ステップＳ１４で取得された全てのタイトル名について、番組評価用テーブルへの追加処理（ステップＳ１５〜Ｓ１８の処理）が行なわれると（ステップＳ１９でＹＥＳ）、受信可能な全てのチャンネルに対する処理が終了したか否かを判別する（ステップＳ２０）。受信可能な全てのチャンネルに対する処理が終了していない場合には、ステップＳ１２に戻り、受信可能な全てのチャンネルのうち、まだ選局されていないチャンネルを選局する。そして、ステップＳ１３以降の処理を行なう。
【００４９】
このようにして、受信可能な全てのチャンネルに対して、ステップＳ１２〜Ｓ１９の処理が終了すると、ステップＳ２０でＹＥＳとなり、ステップＳ２１に移行する。
【００５０】
ステップＳ２１では、番組評価用テーブルから１つのタイトル名を取得する。検索エンジンを用いて、取得したタイトル名をキーワードとして含むＷｅｂページを検索する（ステップＳ２２）。検索されたＷｅｂページの総数を当該タイトル名に対応するヒット件数として番組評価用テーブルに登録する（ステップＳ２３）。
【００５１】
番組評価用テーブル内の全てのタイトル名に対してキーワード検索（ステップＳ２２〜Ｓ２３）が行なわれたか否かを判別する（ステップＳ２４）。番組評価用テーブル内の全てのタイトル名に対してキーワード検索が行なわれていない場合には、ステップＳ２１に戻り、番組評価用テーブル内のタイトル名のうち、キーワード検索が行なわれてないものから１つを取得する。そして、ステップＳ２２〜Ｓ２３の処理を行なう。
【００５２】
このようにして、番組評価用テーブル内の全てのタイトル名に対して、キーワード検索が行なわれた場合には（ステップＳ２４でＹＥＳ）、今回の番組評価用テーブル更新処理を終了する。
【００５３】
図１０は、録画中にＡＶ機器１のマイコン１１によって行なわれる録画データ自動削除処理の手順を示している。
【００５４】
録画中においては、ＨＤＤ１７の残り容量が規定値以下になったか否かが監視される（ステップＳ３１）。録画中において、ＨＤＤ１７の残り容量が規定値以下になった場合には、録画番組情報テーブル内の録画番組情報から、自動削除が禁止されていない１つの録画番組情報を選択し、そのタイトル名を取得する（ステップＳ３２）。
【００５５】
そして、取得したタイトル名に対応するヒット件数を検索サーバ４から取得する（ステップＳ３３）。つまり、ＡＶ機器１のマイコン１１は、取得したタイトル名に対応するヒット件数を検索サーバ４に問い合わせる。検索サーバ４のマイコン４１は、この問い合わせに対し、番組評価用テーブルから該当するタイトル名に対応するヒット件数を抽出して、ＡＶ機器１のマイコン１１に送る。これにより、ＡＶ機器１のマイコン１１は、取得したタイトル名に対応するヒット件数を獲得する。
【００５６】
取得したタイトル名に対応するヒット件数を検索サーバ４から取得すると、取得したヒット件数を、録画番組情報テーブルの該当する録画番組情報のヒット件数として登録する（ステップＳ３４）。録画番組情報テーブル内の自動削除が禁止されていない録画番組情報の全てについてヒット件数の取得および登録処理（上記ステップＳ３３、Ｓ３４の処理）が行なわれたか否かを判別する（ステップＳ３５）。
【００５７】
録画番組情報テーブル内の自動削除が禁止されていない録画番組情報の全てについてヒット件数の取得および登録処理が行なわれていない場合には、ステップＳ３２に戻り、録画番組情報テーブル内の自動削除が禁止されていない録画番組情報であって、ヒット件数の取得および登録処理が行なわれてない１つの録画番組情報を１つ選択し、そのタイトル名を取得する。そして、ステップＳ３３〜Ｓ３５の処理を行なう。
【００５８】
このようにして、録画番組情報テーブル内の自動削除が禁止されていない録画番組情報の全てに対して、ヒット件数の取得および登録処理が行なわれた場合には（ステップＳ３５でＹＥＳ）、ヒット件数の取得および登録処理が行なわれた録画番組情報のうち、ヒット件数が最も少ないものを特定する（ステップＳ３６）。ヒット件数が最も少ないものが１つである場合には（ステップＳ３７でＮＯ）、上記ステップＳ３６で特定されたヒット件数が最も少ない録画番組情報をＨＤＤ１７内の録画番組情報テーブルから削除するとともに、その録画番組情報に対応する録画データ（コンテンツデータ）をＨＤＤ１７から削除する（ステップＳ３８）。そして、ステップＳ３１に戻る。
【００５９】
上記ステップＳ３７において、ヒット件数が最も少ないものが２以上ある場合には（ステップＳ３７でＹＥＳ）、それら複数の録画番組情報のうち録画時刻（放送開始時刻）が最も古い録画番組情報をＨＤＤ１７内の録画番組情報テーブルから削除するとともに、その録画番組情報に対応する録画データ（コンテンツデータ）をＨＤＤ１７から削除する（ステップＳ３９）。そして、ステップＳ３１に戻る。
【００６０】
なお、上記実施例２では、番組のタイトル名をキーワードとして、キーワードが含まれるＷｅｂページを検索し、検索されたＷｅｂページの総数をヒット件数としているが、番組のタイトル名、出演者、原作者、脚本家、監督、演出家のうち、２種類以上をキーワードとして用い、各キーワード毎にそのキーワードが含まれるＷｅｂページを検索し、各キーワード毎に検索されたＷｅｂページの数の総和をヒット件数としてもよい。
【００６１】
この場合には、検索サーバは、キーワードとなる単語（タイトル名、出演者名等）毎にヒット件数を取得しておく必要がある。また、ＡＶ機器は、録画番組情報にキーワードとして用いられる全ての単語を登録しておく必要がある。
【図面の簡単な説明】
【００６２】
【図１】実施例１のシステム構成を示すブロック図である。
【図２】ＡＶ機器１の電気的構成を示すブロック図である。
【図３】録画番組情報テーブルの内容の一部を示す模式図である。
【図４】録画中にＡＶ機器１のマイコン１１によって行なわれるコンテンツ自動削除処理の手順を示すフローチャートである。
【図５】実施例２のシステム構成を示すブロック図である。
【図６】ＡＶ機器１の電気的構成を示すブロック図である。
【図７】検索サーバ４の電気的構成を示ブロック図である。
【図８】全番組情報テーブルの内容の一部を示す模式図である。
【図９】検索サーバのマイコンによって行なわれる全番組情報テーブル更新処理手順を示すフローチャートである。
【図１０】録画中にＡＶ機器１のマイコン１１によって行なわれるコンテンツ自動削除処理の手順を示すフローチャートである。
【符号の説明】
【００６３】
１  ＡＶ機器
１１  マイコン
１２  ＲＯＭ
１７  ＨＤＤ
４  検索サーバ
４１  マイコン
４２  ＲＯＭ
４６  ＨＤＤ
【図１】
0004726711.tif 000002
【図２】
0004726711.tif 000003
【図３】
0004726711.tif 000004
【図４】
0004726711.tif 000005
【図５】
0004726711.tif 000006
【図６】
0004726711.tif 000007
【図７】
0004726711.tif 000008
【図８】
0004726711.tif 000009
【図９】
0004726711.tif 000010
【図１０】
0004726711.tif 000011